(57)【特許請求の範囲】
【請求項１】
高所作業車の荷台上に配設され且つ上部開口が蓋で開閉可能に設けられた工具箱本体を備えると共に、
前記高所作業車の伸縮ブームを倒伏させた格納時に、前記蓋の上方への開き代が前記工具箱本体の一方の短辺側では前記伸縮ブームの先端部に取り付けたバケットにより制限されず且つ他方の短辺側では前記バケットにより制限される長物用工具箱であって、
前記工具箱本体の一方の短辺側に位置すると共に上方への開き代が制限されない範囲の長さを持ち且つ前記工具箱本体の一方の長辺側に第１のヒンジを備えた第１の蓋と、
前記工具箱本体の他方の短辺側に位置し且つ上方への開き代が制限されると共に前記他方の短辺に第２のヒンジを備えた第２の蓋と、
前記第１の蓋はその閉鎖位置では前記第２の蓋を閉鎖位置に維持し且つその開放位置では前記第２の蓋の開放を許容する蓋連繋手段と、を備えることを特徴とする長物用工具箱。
【請求項２】
高所作業車の荷台上に配設され且つ上部開口が蓋で開閉可能に設けられた工具箱本体を備えると共に、
前記高所作業車の伸縮ブームを倒伏させた格納時に、前記蓋の上方への開き代が前記工具箱本体の一方の短辺側では前記伸縮ブームの先端部に取り付けたバケットにより制限されず且つ他方の短辺側では前記バケットにより制限される長物用工具箱であって、
前記工具箱本体の一方の短辺側に位置すると共に上方への開き代が制限されない範囲の長さを持ち且つ前記工具箱本体の一方の長辺側に第１のヒンジを備えた第１の蓋と、
その閉じた状態では前記工具箱本体の一方の短辺の上縁部を含む側壁の一部であって下端に第２のヒンジを備えた第２の蓋と、
前記第１の蓋はその閉鎖位置では前記第２の蓋を閉鎖位置に維持し且つその開放位置では前記第２の蓋の開放を許容する蓋連繋手段と、を備えることを特徴とする長物用工具箱。
【請求項３】
請求項１又は２に記載の長物用工具箱において、前記工具箱本体はキャビンと前記キャビン後ろの荷台の後部に設けられた前記伸縮ブームの旋回台との間に位置させられ且つ前後に向けて配設されていることを特徴とする長物用工具箱。
【請求項４】
請求項３に記載の長物用工具箱において、
前記工具箱本体の上部開口を開閉する蓋の上方への開き代は、前記格納時に、先端部が前記キャビン上に位置するよう前記伸縮ブームを前側に向けて水平に倒伏させ、且つ前記バケットを多関節アームで前記伸縮ブームに沿うように後方に向けさせたときに、前記工具箱本体の一方の短辺側では前記バケットにより制限されず且つ他方の短辺側では前記バケットにより制限されることを特徴とする長物用工具箱。
【請求項５】
請求項１〜４のいずれか一つに記載の長物用工具箱において、前記第１の蓋による開口面積が前記第２の蓋による開口面積よりも大きいことを特徴とする長物用工具箱。
【請求項６】
請求項１〜４のいずれか一つに記載の長物用工具箱において、前記第１の蓋の開き動作により前記第２の蓋の開き動作をおこなうことを特徴とする長物用工具箱。
【請求項７】
請求項６に記載の長物用工具箱において、前記第２の蓋は連動機構により前記第１の蓋の開閉に連動して開閉することを特徴とする長物用工具箱。
【請求項８】
請求項１〜７のいずれか一つの長物用工具箱を、前記長物用工具箱の長辺における上面開口部の上方への開き代が一方の短辺側では制限されず且つ他方の短辺側では制限される箇所に備えることを特徴とする高所作業車。
【発明の詳細な説明】
【技術分野】
【０００１】
この発明は、短辺側の上方への開き代が制限される長物用工具箱及びこれを備える高所作業車に関するものである。
【背景技術】
【０００２】
高所作業車には、トラックの荷台に旋回台を設け、この旋回台に伸縮ブームを起伏可能に取り付け、この伸縮ブームを起伏シリンダにより起伏させるようにすると共に、伸縮ブームの先端部にバケットを取り付けたものが知られている。
【０００３】
また、高所作業車としては、伸縮ブームの先端部に多関節アームを介してバケットを取り付けたものも知られている。この高所作業車では、伸縮ブームやバケットの格納時に、伸縮ブームを縮小させると共に前側に向けて略水平になるまで倒伏させて、伸縮ブームを荷台上のブームレスト上に支持させるようにしている。
【０００４】
しかも、この高所作業車では、走行時に、多関節アームの関節に走行振動による負荷が作用しないようにするために、キャビンの直ぐ後にバケットレストを設けると共に、多関節アームによりバケットを後方に向けてバケットレスト上に支持させるようにしている。
【０００５】
近年、このような高所作業車を利用した配電工事では、作業者が電線に直接触れずに工事を行う間接活線工事が普及しつつある。この間接活線工事には、電気的絶縁性を有するホットスティック等の長尺工具が用いられている（例えば特許文献１参照）。
【０００６】
このホットスティックには、最縮小状態において１６００mm程度の長尺物が使用されているのが現状である。しかも、このホットスティックはバケット内で使用し且つ使用頻度が多いことから、収納には格納したバケットに近い位置に専用の上開きの長物用工具箱が必要であった。又、ホットスティックは先端に多種の工具を装着して順次あるいは同時に使用するため、６本程度は長物用工具箱に格納しておく必要があった。
【特許文献１】特開平８−２８９４２７号公報
【発明の開示】
【発明が解決しようとする課題】
【０００７】
ところで、高所作業車では、格納時に伸縮ブームを前に向けて略水平に倒伏させたときの起伏シリンダや旋回台を避けて長物用工具箱を配置する必要があるため、大型の長物用工具箱を配置するスペースが限られている。このため、長物用工具箱を旋回台より前側で荷台の車幅方向の一側部上に配置すると共に、この長物用工具箱の前端をキャビンの直ぐ後に位置させている。
【０００８】
一方、多関節アームを用いた高所作業車では、格納時にバケットを後ろに向けてバケットレストに支持させた状態としたとき、長物用工具箱の前端部上にバケットの後端部が構造物として存在する状態となってしまう。
【０００９】
この状態では、長物用工具箱の上端開口部を開閉する扉の開度が大きく取れないため、ホットスティック等の長尺工具の出し入れが困難になるという問題があった。
【００１０】
そこで、この発明は、一方の短辺側上に扉の上方への開き代の制限をする構造物等があっても、長尺工具の出し入れを容易に行うことができる長物用工具箱及びこれを備える高所作業車を提供することを目的とするものである。
【課題を解決するための手段】
【００１１】
この目的を達成するため、請求項１の発明は、高所作業車の荷台上に配設され且つ上部開口が蓋で開閉可能に設けられた工具箱本体を備えると共に、前記高所作業車の伸縮ブームを倒伏させた格納時に、前記蓋の上方への開き代が前記工具箱本体の一方の短辺側では前記伸縮ブームの先端部に取り付けたバケットにより制限されず且つ他方の短辺側では前記バケットにより制限される長物用工具箱であって、前記工具箱本体の一方の短辺側に位置すると共に上方への開き代が制限されない範囲の長さを持ち且つ前記工具箱本体の一方の長辺側に第１のヒンジを備えた第１の蓋と、前記工具箱本体の他方の短辺側に位置し且つ上方への開き代が制限されると共に前記他方の短辺に第２のヒンジを備えた第２の蓋と、前記第１の蓋はその閉鎖位置では前記第２の蓋を閉鎖位置に維持し且つその開放位置では前記第２の蓋の開放を許容する蓋連繋手段と、を備えることを特徴とする。
【００１２】
また、上述した目的を達成するため、請求項２の発明は、高所作業車の荷台上に配設され且つ上部開口が蓋で開閉可能に設けられた工具箱本体を備えると共に、前記高所作業車の伸縮ブームを倒伏させた格納時に、前記蓋の上方への開き代が前記工具箱本体の一方の短辺側では前記伸縮ブームの先端部に取り付けたバケットにより制限されず且つ他方の短辺側では前記バケットにより制限される長物用工具箱であって、前記工具箱本体の一方の短辺側に位置すると共に上方への開き代が制限されない範囲の長さを持ち且つ前記工具箱本体の一方の長辺側に第１のヒンジを備えた第１の蓋と、その閉じた状態では前記工具箱本体の一方の短辺の上縁部を含む側壁の一部であって下端に第２のヒンジを備えた第２の蓋と、
前記第１の蓋はその閉鎖位置では前記第２の蓋を閉鎖位置に維持し且つその開放位置では前記第２の蓋の開放を許容する蓋連繋手段と、を備えることを特徴とする。
更に、請求項３の発明は、請求項１又は２に記載の長物用工具箱において、前記工具箱本体はキャビンと前記キャビン後ろの荷台の後部に設けられた前記伸縮ブームの旋回台との間に位置させられ且つ前後に向けて配設されていることを特徴とする。
また、請求項４の発明は、請求項３に記載の長物用工具箱において、前記工具箱本体の上部開口を開閉する蓋の上方への開き代は、前記格納時に、先端部が前記キャビン上に位置するよう前記伸縮ブームを前側に向けて水平に倒伏させ、且つ前記バケットを多関節アームで前記伸縮ブームに沿うように後方に向けさせたときに、前記工具箱本体の一方の短辺側では前記バケットにより制限されず且つ他方の短辺側では前記バケットにより制限されることを特徴とする。
【００１３】
更に、請求項５の発明は請求項１〜４のいずれか一つに記載の長物用工具箱において、前記第１の蓋による開口面積が前記第２の蓋による開口面積よりも大きいことを特徴とする。
【００１４】
また、請求項６の発明は、請求項１〜４のいずれか一つに記載の長物用工具箱において、前記第１の蓋の開き動作により前記第２の蓋の開き動作をおこなうことを特徴とする。
【００１５】
また、請求項７の発明は、請求項６に記載の長物用工具箱において、前記第２の蓋は連動機構により前記第１の蓋の開閉に連動して開閉することを特徴とする。
【００１６】
また、請求項８の発明は、請求項１〜７のいずれか一つの長物用工具箱を、前記長物用工具箱の長辺における上面開口部の上方への開き代が一方の短辺側では制限されず且つ他方の短辺側では制限される箇所に備える高所作業車としたことを特徴とする。
【発明の効果】
【００１７】
請求項１，２の発明によれば、一方の短辺側上に扉の上方への開き代の制限をする構造物等があっても、長尺工具の出し入れを容易に行うことができる。
【００１８】
また、請求項５の発明によれば、前記第１の蓋による開口面積が第２の蓋による開口面積よりも大きくしたので、長尺工具を少し傾けるだけで、長尺工具の出し入れを容易に行うことができる。
【００１９】
また、請求項６の発明によれば、第１の蓋の開き動作により第２の蓋の開き動作をおこなうようにしたので、長尺工具の出し入れに際して、長尺工具が蓋等により傷つくのを容易に防止できる。
【００２０】
更に、請求項７の発明によれば、第２の蓋は連動機構により第１の蓋の開閉に連動して開閉する構成としたので、この第２の蓋の開閉を第１の蓋の開閉操作のみで簡易に行うことができる。
【００２１】
また、請求項８の発明によれば、上述した長物用工具箱を備える高所作業車を提供できる。
【発明を実施するための最良の形態】
【００２２】
以下、本発明を実施するための最良の形態について図面を参照しつつ説明する。
【００２３】
図１は本発明に係る高所作業車の側面図、図２は図１の高所作業車の平面図である。この図１において、１は高所作業車の運転席を有するキャビン、２はキャビン１の後方の荷台（車体）である。
【００２４】
この荷台２の後端部上には旋回台３が取り付けられている。この旋回台３は、軸線Ｏを中心に水平旋回可能に設けられている。また、この旋回台３上にはブーム支持用のブラケット４が取り付けられている。このブラケット４は、図１，図２に示したように上下に延び且つ互いに対向する一対の支持片４ａ，４ａを有する。
【００２５】
この支持片４ａ，４ａの上端部間には伸縮ブーム５の基端部が配設され、この基端部が支持片４ａ，４ａに支持軸６を介して取り付けられている。これにより伸縮ブーム５は、支持軸６を中心に起伏可能に設けられている。しかも、この伸縮ブーム５の中間部とブラケット４の下部との間には図１の如く起伏シリンダ（油圧シリンダ）７が斜めに介装されていて、この起伏シリンダ７の伸縮により伸縮ブーム５は支持軸６を中心に起伏させられるようになっている。尚、伸縮ブーム５には周知の構成が採用できるのでその詳細な説明は省略する。
【００２６】
この伸縮ブーム５の先端部には、多関節アーム８を介してバケット９が取り付けられている。この多関節アーム８は、図１に示したように、アーム本体１０と、このアーム本体１０の一端部を伸縮ブーム５の先端部に水平回動可能に連結している第１関節１１と、アーム本体１０の他端部にバケット９を水平回動可能に連結している第２関節１２を有する。
【００２７】
この第１関節１１は、伸縮ブーム５の先端部に鉛直に取り付けられた第１鉛直支持ポスト（図示せず）と、この第１鉛直支持ポストに水平回動可能に取り付けられたアーム本体１０の一端部から構成されている。尚、第１鉛直支持ポストは、伸縮ブーム５の起伏角度が変化しても常に鉛直状態を維持するようになっている。この構成にも周知の構成が採用できるのでその詳細な説明は省略する。また、第２関節１２は、アーム本体１０の他端部に鉛直に設けられた第２鉛直支持ポスト（図示せず）と、バケット９の側部に突設され且つ第２鉛直支持ポストに水平回動可能に取り付けられた突部９ａから構成されている。
【００２８】
しかも、アーム本体１０は図示しない油圧モータにより第１関節１１の部分を中心に水平回動させられ、バケット９は図示しない油圧モータにより第２関節１２の部分を中心に水平回動させられるようになっている。
【００２９】
また、荷台２上には、図２のようにキャビン１の右側の直ぐ後に位置させたブームレスト１３と、図１のようにキャビン１の左側の直ぐ後に位置させたバケットレスト１４が設けられている。
【００３０】
そして、高所作業車の走行等のために伸縮ブーム５を格納するには、伸縮ブーム５を最小限まで縮小すると共に、旋回台３を図示しない駆動手段により水平回動させて、伸縮ブーム５の先端部を前側に向ける一方、起伏シリンダ７を縮小させて伸縮ブーム５を略水平に倒伏させる。この際、伸縮ブーム５は図２のように右斜めに向けてブームレスト１３上に支持させられるようになっている。
【００３１】
更に、この伸縮ブーム５の格納時には、多関節アーム８のアーム本体１０を第１関節１１の部分を中心に水平回動させて図２のように左斜め後方側に向けると共に、バケット９を第２関節１２の部分を中心に水平回動させて伸縮ブーム５に沿うように後方に向ける。この際、バケット９は、図１のように略キャビン１上に位置するが、後端部９ｂがキャビン１より後方側に突出する。この後端部９ｂは、高所作業車の走行に伴う走行振動等により第１，第２関節１１，１２等に無理な負荷（加重）が作用しないように、バケットレスト１４上に支持されるようになっている。
【００３２】
また、バケットレスト１４の後方には、荷台２に固定されたステップ１５が作業員のバケット９への乗り降り等のために配設されている。更に、荷台２の前端部の両側には前側アウトリガー１６がそれぞれ取り付けられ、荷台２の後端部の両側には後側アウトリガー１７がそれぞれ取り付けられている。
【００３３】
更に、荷台２の車幅方向の一側部上には、図１に示したように前側アウトリガー１６と後側アウトリガー１７との間に位置させて前後に配列した複数の工具箱１８，１９，２０が旋回台３より下方に位置させて取り付けられている。尚、図２に示したように、荷台２の車幅方向の他側部上にも、工具箱１８，１９，２０と同様な工具箱１８′，１９′，２０′が配設されている。
【００３４】
また、工具箱１８，１９上には、前後に延びる工具箱２１が取り付けられている。この工具箱２１は、図１に示したように旋回台３よりも前側で且つ前側アウトリガー１６の上端部よりも後側に位置している。なお、工具箱１８〜２１には、必要な工具や部品等が収納されるようになっている。また、前側アウトリガー１６の上端は工具箱２１の下端よりも高く且つ上端よりも低くなっている。
＜長物用工具箱＞
しかも、工具箱２１上には、前後方向の長さが工具箱２１よりも長い長物用工具箱２２が配設されている。この長物用工具箱２２は、前端部が前側アウトリガー１６の上方に位置させられていると共に、前端がキャビン１の後端に略近接させられている。
【００３５】
この長物用工具箱２２は、図１に示したように、前後に細長く延び且つ上端が開口する長物収納用の工具箱本体２３を有する。この工具箱本体２３は、図３及び図４に示したように、底壁２３ａと、車幅方向に間隔をおいて前後に延びる横側壁（長辺）２３ｂ，２３ｃと、車幅方向に延びて横側壁（長辺の側壁）２３ｂ，２３ｃの後端間を連設する後側壁（一方の短辺の端壁）２３ｄと、車幅方向に延びて横側壁（長辺の側壁）２３ｂ，２３ｃの前端間を連設する前側壁（他方の短辺の端壁）２３ｅを有する。
【００３６】
尚、図１に示したように、伸縮ブーム５やバケット９の格納時には、バケット９の後端部９ｂ等の構造物が工具箱本体２３の前端部Ａ上に突出するので、工具箱本体２３の前端部Ａはバケット９の後端部９ｂ等の構造物により上方への開き代が制限される。しかし、この格納時でも、工具箱本体２３の前端部Ａより後側（一方の短辺側）上には構造物がないので、工具箱本体２３の前端部Ａより後側は上方への開き代が制限されない状態にある。
【００３７】
また、長物用工具箱２２は、工具箱本体２３の前端部Ａより後側（一方の短辺側）の上部開口端を開閉する第１の蓋２４と、工具箱本体２３の前端部Ａの上部開口端を開閉する第２の蓋２５を有する。しかも、図３に示したように、第１の蓋２４は長辺が第１のヒンジ２６で横側壁（長辺）２３ｂの上端部に上下且つ左右に開閉可能に取り付けられ、第２の蓋２５の前端は第２のヒンジ２７（図４参照）で前側壁（他方の短辺）２３ｅに上下且つ前後に開閉可能に取り付けられている。
【００３８】
更に、第１の蓋２４は、図３に示したようにロック装置２８により閉位置で後側壁（一方の短辺）２３ｄにロック可能に設けられている。尚、ロック装置２８は、工具箱本体２３の後端部に設けているが、必ずしもこれに限定されるものではなく、工具箱本体２３の後端部以外の場所に設けても良いし、複数設けても良い。
また、図３に示したように、第１の蓋２４の前端部及び後端部には幅方向（短辺方向）の中央側に位置させてブラケット２４ｂ１，２４ｂ２が取り付けられ、横側壁２３ｂの上縁部にはブラケット２４ｂ１，２４ｂ２に対応してブラケット２３ｂ１，２３ｂ２が固定されている。
【００３９】
このブラケット２３ｂ１，２４ｂ１間にはエアダンパ２９が介装され、ブラケット２３ｂ２，２４ｂ２間にはエアダンパ３０が介装されている。しかも、第１の蓋２４が閉じられている状態では、エアダンパ２９，３０が工具箱本体２３の上端部において第１の蓋２４に沿うように延びる形になるので、このエアダンパ２９，３０が工具箱本体２３内に配設される長尺工具等の邪魔になることはない。
【００４０】
そして、ロック装置２８によるロックを解除すると、第１の蓋２４は図３に示したエアダンパ２９，３０により図８に示したように第１のヒンジ２６を中心に鉛直になるまで開かれるようになっている。
【００４１】
しかも、図４，図５に示したように、第１の蓋２４の周縁部にはフランジ２４ａが環状に設けられている。このフランジ２４ａの前端部には幅方向（短辺方向）に延びるフランジ部２４ａ１が設けられ、第２の蓋２５の後端部には下方に膨出し且つ後端部（後縁部）に沿って工具箱本体２３の短辺方向に延びる膨出突部３１が形成されている。
【００４２】
この膨出突部３１は、図５に示したように、前側壁３１ａ，底壁３１ｂ，後側壁３１ｃを有すると共に、後側壁３１ｃの端縁から前側に折り返された止水用折返部３１ｄを有する。そして、この膨出突部３１の外面（蓋閉時の上面）には工具箱本体２３の短辺方向に延びる止水溝３１ｅが形成されている。また、止水溝３１ｅの後部側は止水用折返部３１ｄにより覆われている。そして、止水溝３１ｅには、第１の蓋２４及び第２の蓋２５を閉じたときに、フランジ部２４ａ１が係合して、雨水等が工具箱本体２３内に侵入するのを防止するようになっている。
【００４３】
また、図６，図７に示したように、第１の蓋２４と第２の蓋２５とは連動機構（蓋連繋手段）としてのワイヤロープ３２を介して連結されていて、第２の蓋２５は第１の蓋２４の開閉に連動して開閉するようになっている。
【００４４】
即ち、ワイヤロープ３２の両端部には取付金具３３，３４がそれぞれ装着されていると共に、取付金具３３，３４を第１，第２の蓋２４，２５にそれぞれ固定することにより、第１の蓋２４と第２の蓋２５とがワイヤロープ３２を介して連結されていて、第２の蓋２５は第１の蓋２４の開閉に連動して開閉するようになっている。
【００４５】
尚、取付金具３３は第１の蓋２４の前端部の幅方向の略中央に位置に固定され、取付金具３４は横側壁（長辺）２３ｃ側の縁部近傍に位置させて底壁３１ｂの下面に固定されている。
【００４６】
従って、第１の蓋２４は、ロック装置２８による後側壁（一方の短辺）２３ｄへのロックが解除されると、エアダンパ２９，３０により第１のヒンジ２６を中心に鉛直になるまで開かれる。この際、第２の蓋２５の後端部がワイヤロープ３２を介して第１の蓋２４により上方に引っ張られて、第２の蓋２５が第２のヒンジ２７を中心に上方に回動するように持ち上げられる。これにより、第２の蓋２５が上方且つ前側に回動し傾斜するように開かれることになる。そして、第１の蓋２４が鉛直になるまで開かれるときに、第２の蓋２５はバケット９の後端部９ｂに当たる直前まで上方に開かれることになる。
【００４７】
この状態では、エアダンパ２９，３０が工具箱本体２３の横側部２３ｂ側に位置することになり、図示しないホットスティック等の長尺工具（長物）が収納された防水性の長物収納袋３５の後端部を持ち上げても、エアダンパ２９，３０が邪魔になるようなことはない。
【００４８】
従って、この状態で図示しないホットスティック等の長尺工具（長物）が収納された防水性の長物収納袋３５の後端部を持ち上げて、長物収納袋３５を傾斜させることで、長物収納袋３５の工具箱本体２３に対する出し入れを容易に行うことができる。しかも、この際、第２の蓋２５の後端部が上方に持ち上がるように傾斜するので、長物収納袋３５の後部が上方に持ち上がるように傾斜させた状態で、長物収納袋３５の工具箱本体２３に対して出し入れしても、長物収納袋３５が第２の蓋２５に当たることはない。
【００４９】
この結果、長物収納袋３５の工具箱本体２３に対する出し入れに際して、長物収納袋３５内の長尺工具が傷つくのを未然に防止できるので、金属中空棒に絶縁コーティングした長尺工具であっても、長物収納袋３５の工具箱本体２３に対する出し入れ時にコーティングが剥がれて絶縁が損なわれたりすることがない。また、長尺工具がＦＲＰ等からなる中空棒であっても、長物収納袋３５の工具箱本体２３に対する出し入れ時に長尺工具に傷が付いて強度が落ちたり、穴が開いたりして、雨水の浸入に伴う絶縁性が損なわれるようなことも未然に防止できる。
【００５０】
また、第１の蓋２４の自由端をエアダンパ２９，３０の弾発力に抗して閉じる方向に押し下げると、第２の蓋２５が自重により先に閉じる。そして、第１の蓋２４を閉じると、第１の蓋２４のフランジ部２４ａ１が第２の蓋２５の止水溝３１ｅに係合して、雨水等が工具箱本体２３内に侵入するのを防止する。
[変形例１]
以上説明した実施例の長物用工具箱２２では、第１の蓋２４の開閉に連動して第２の蓋２５を開閉させるのにワイヤロープ３２を用いた構成としたが、必ずしもこれに限定されるものではない。例えば、図９〜図１３のような構成としても良い。即ち、図９，図１０に示した第１，第２の蓋２４，２５間に連動機構（蓋連繋手段）３６を介装した構成としても良い。以下、この連動機構（蓋連繋手段）３６の構成について説明する。尚、上述した実施例と同一の部分又は類似する部分には、実施例と同じ符号を付してその詳細な説明は省略する。
[構成]
図１０，図１２（ａ）において、第２の蓋２５の後端部には上述したように膨出突部３１が設けられている。そして、連動機構３６は、図１０に示したように第２の蓋２５の後端部の下方に配設されていると共に、図１１に示したように横側壁（長辺）２３ｂに近接させて配設された支持板（支持部材）３７を有する。
【００５１】
この支持板３７は、図１２（ａ）に示したように、膨出突部３１の前側壁３１ａに一端部が固定された取付板部３７ａと、この取付板部３７ａの他端から膨出突部３１の底壁３１ｂの下方に突出する支持部３７ｂとからＬ字状に形成されている。この底壁３１ｂと支持部３７ｂとの間には保持空間３８が形成されている。
【００５２】
また、連動機構３６は、図１０に示したように第１の蓋２４の前端部内面に突設した第１サポート板（第１サポート部材）３９を有する。この第１サポート板３９は、図１１に示したように、幅方向（短辺方向）に延びていると共に、横側壁（長辺）２３ｂに近接する位置に配置されている。しかも、第１サポート板３９の横側壁（長辺）２３ｂ側の側縁には前側（第２の蓋２５側）に垂直に突出するストッパ３９ａが一体に形成されている。
【００５３】
更に、連動機構３６は、第１サポート板３９の前側に配設された第２サポート板（第２サポート部材）４０を有する。この第２サポート板４０は、図１２に示したように、一端部が第１サポート板３９の前側に重ねられた取付板部４０ａと、この取付板部４０ａの他端から前側に延設された支持板部４０ｂとから略Ｌ字状に形成されている。この支持板部４０ｂは、膨出突部３１の底壁３１ｂの下方に配設されている。
【００５４】
また、第２サポート板４０の取付板部４０ａは、第１サポート板３９の先端部に支持軸４１を介して回動可能に取り付けられていると共に、第１サポート板３９の先端側から突出する方向に回動したときに、ストッパ３９ａに当接してそれ以上回動しないようになっている。尚、第２サポート板４０は図示しないコイルスプリング等で図１２（ｂ）中、時計回り方向に回動付勢されている。
【００５５】
しかも、第１，第２の蓋２４，２５が閉じているときには、第２サポート板４０の支持板部４０ｂが第１サポート板３９のストッパ３９ａとは反対側に位置するように、取付板部４０ａが横側壁（長辺）２３ｂとは反対方向（横方向）に向いていると共に、取付板部４０ａが保持空間３８内に配設されている。
[作用]
次に、このような構成の長物用工具箱２２の作用を説明する。
【００５６】
図９のロック装置２８による工具箱本体２３の後側壁（一方の短辺）２３ｄへのロックが解除されると、第１の蓋２４は図９のエアダンパ２９，３０により第１のヒンジ２６を中心に回動して図１３に示したように鉛直になるまで開かれる。
【００５７】
この際、第２サポート板４０の取付板部４０ａが支持軸４１を中心に図１２（ｂ）において下方に回動（実際は第２サポート板４０が略そのままの姿勢で第１サポート板３９が時計回り方向に回動）させられながら、第２サポート板４０の支持板部４０ｂが図１３及び図１４の矢印Ｂ方向に膨出突部３１の底壁３１ｂの下面に対して横側壁（長辺）２３ｂ側に摺接移動して保持空間３８から抜き取られた後、支持板部４０ｂが第２の蓋２５の膨出突部３１の底壁３１ｂを支持しながら第１の蓋２４と共に上方に回動させられる。
【００５８】
これに伴い、第２の蓋２５の後端部が第２サポート板４０により第１の蓋２４に連動して第２のヒンジ２７を中心に上方に回動するように持ち上げられて、第２の蓋２５が上方且つ前側に回動し傾斜するように開かれることになる。そして、第１の蓋２４が鉛直になるまで開かれるときに、第２の蓋２５はバケット９の後端部９ａに当たる直前まで上方に開かれることになる。
【００５９】
この状態では、図示しないホットスティック等の長尺工具（長物）が収納された防水性の長物収納袋３５の後端部を持ち上げて、長物収納袋３５を傾斜させることで、長物収納袋３５の工具箱本体２３に対する出し入れを容易に行うことができる。しかも、この際、第２の蓋２５の後端部が上方に持ち上がるように傾斜するので、長物収納袋３５の後部が上方に持ち上がるように傾斜させた状態で、長物収納袋３５の工具箱本体２３に対して出し入れしても、長物収納袋３５が第２の蓋２５に当たることはない。
【００６０】
この結果、長物収納袋３５の工具箱本体２３に対する出し入れに際して、長物収納袋３５内の長尺工具が傷つくのを未然に防止できるので、金属中空棒に絶縁コーティングした長尺工具であっても、長物収納袋３５の工具箱本体２３に対する出し入れ時にコーティングが剥がれて絶縁が損なわれたりすることがない。また、長尺工具がＦＲＰ等からなる中空棒であっても、長物収納袋３５の工具箱本体２３に対する出し入れ時に長尺工具に傷が付いて強度が落ちたり、穴が開いたりして、雨水の浸入に伴う絶縁性が損なわれるようなことも未然に防止できる。
【００６１】
また、第１の蓋２４の自由端をエアダンパ２９，３０の弾発力に抗して閉じる方向に押し下げると、第２の蓋２５が自重により先に閉じる。この後、第１の蓋２４の自由端を更に押し下げると、支持板部４０ｂが常時底壁３１ｂの下面に押し付けられる方向に、第２サポート板４０が図示しないコイルスプリング等で回動させられる。これに伴い、第２サポート板４０の支持板部４０ｂは、膨出突部３１の底壁３１ｂに対して保持空間３８側に摺接移動し、第１の蓋２４及び第２の蓋２５が閉じたときに保持空間３８内に収容される。この結果、第２サポート板４０が長物用工具箱２２内に収納される長尺工具等の邪魔になることはない。
【００６２】
そして、第１の蓋２４を閉じると、第１の蓋２４のフランジ部２４ａ１が第２の蓋２５の止水溝３１ｅに係合して、雨水等が工具箱本体２３内に侵入するのを防止する。
（その他）
尚、少なくとも支持板３７の支持部３７ｂを膨出突部３１の底壁３１ｂに沿って横側壁（長辺）２３ｂ側の端まで延設することにより、第２の蓋２５の後方に開放する保持空間３８を底壁３１ｂに沿って横側壁２３ｂ側の端まで設けて、この保持空間３８をサポートガイドとすることもできる。また、支持板３７の支持部３７ｂを膨出突部３１の底壁３１ｂ全体に対向するように延設することで、支持部３７ｂと底壁３１ｂの長手方向全体との間に第２の蓋２５の後方に開放する保持空間３８を設けて、この保持空間３８をサポートガイドとすることもできる。
【００６３】
これらの場合には、第２の蓋２５を第２サポート板４０で第１の蓋２４の開閉により確実に連動させて開閉させることができる。この第１の蓋２４の開閉に伴い、支持板部４０ｂが保持空間（ガイド空間）３８内を長手方向に摺動して、第２サポート板４０が支持軸４１を中心に回動させられ、第２の蓋２５の開閉が行われることになる。
[変形例２]
また、上述した実施例では、第２の蓋２５をワイヤロープ３２又は連動機構３６により第１の蓋２４の開閉に連動して開閉させるようにしたが、必ずしもこれに限定されるものではない。
【００６４】
例えば、図１４に示したように、第１の蓋２４を図３に示したエアダンパ２９，３０（図１４では図示を省略）により開いたときに、第２の蓋２５がエアダンパ（蓋連繋手段）４２により開くようにしておくことにより、上述したワイヤロープ３２や連動機構３６を設けることなく第２の蓋２５を第１の蓋２４の開動作に連動（連繋）させて開くことができる。
【００６５】
尚、第２の蓋２４を図３のエアダンパ２９，３０の弾発力に抗して閉じる際、第２の蓋２４の前端部が第２の蓋２５の後端部に当接させて第２の蓋２５をエアダンパ４２の弾発力に抗して押し下げ、第２の蓋２５を閉じることができる。そして、第１，第２の蓋２４，２５が閉じられた状態でロック装置２８により第１の蓋２４を工具箱本体２３にロックすることにより、第１，第２の蓋２４，２５が閉じられた状態を維持することになる。
【００６６】
尚、エアダンパ２９，３０の代わりにプッシュプルケーブルやリンク等で後側壁２３ｄ側から第１の蓋２４の開動作をさせるようにしても良い。
[変形例３]
また、上述した実施例では、上方に開閉する第２の蓋２５を設けて、この第２の蓋２５を第１の蓋２４の開閉に連動して開閉させるようにしたが、必ずしもこれに限定されるものではない。
【００６７】
例えば、上述した第２の蓋２５を省略して、第２の蓋２５を設けた部分に図１５に示したように上壁２５′を形成すると共に、工具箱本体２３の後側壁（一方の短辺の側壁）２３ｄを第２の蓋として工具箱本体２３とは別体に形成し、この後側壁２３ｄの下端部を図１５，図１６に示した第２のヒンジ４４を介して工具箱本体２３の下端部に回動可能に取り付けた構成としても良い。
【００６８】
また、この後側壁２３ｄの上端部は、第１の蓋２４の周縁に設けられたフランジ２４ａの後端のフランジ部（蓋連繋手段）２４ａ２によりカバーされて、フランジ部２４ａ２により後方に開くのを規制されている。しかも、後側壁２３ｄの上端部は、ロック装置２８によりフランジ部２４ａ２にロックされている。
【００６９】
この構成においては、このロック装置２８によるロックを解除して、第１の蓋２４を上方に開くと、フランジ部２４ａ２による後側壁２３ｄの上端部の規制が解除されるので、後側壁２３ｄが第２のヒンジ４４を中心に後方且つ下方に回動して開くことになる。
【００７０】
この状態では、工具箱本体２３内に収納した長物収納袋３５を工具箱本体２３の後端開口から僅かに引き出して、長物収納袋３５の後端を上方に持ち上げることにより、長物収納袋３５を容易に工具箱本体２３から取り出すことができる。また、長物収納袋３５を工具箱本体２３に収納する場合には取り出す場合と逆の作業をすればよい。
【００７１】
即ち、先ず、工具箱本体２３の後端を開いた状態で、長物収納袋３５を工具箱本体２３内に後端開口（図示せず）から収納して、第２の蓋である後側壁２３ｄで工具箱本体２３の後端開口（図示せず）を閉じる。この状態で第１の蓋２４で工具箱本体２３の上部開口端（図示せず）を閉成することにより、第１の蓋２４の後端のフランジ部（蓋連繋手段）２４ａ２で第２の蓋である後側壁２３ｄの上端部が第２のヒンジ４４を中心に後方に倒れるのを規制させる。そして、最終的に、ロック装置２８により後側壁２３ｄの上部をフランジ部２４ａ２にロックすることにより、第１の蓋２４及び第２の蓋である後側壁２３ｄの閉成及び固定が終了する。
【００７２】
また、第２の蓋として後側壁２３ｄを工具箱本体２３と別体に形成した例を示したが、必ずしもこれに限定されるものではない。例えば、工具箱本体２３の後側壁２３ｄの下部側は工具箱本体２３と一体に形成し、工具箱本体２３の後側壁２３ｄの上部側を第２の蓋として第１の蓋２４と一体に形成することもできる。この場合、第１の蓋２４を上方に開いたときに、長物工具を工具箱本体２３に対して出し入れする際に、第１の蓋２４と一体の後側壁の上部側（第２の蓋）が長物工具の出し入れに邪魔にならず且つ長物工具が第１の蓋２４と一体の後側壁の上部側（第２の蓋）に当たらない程度の長さとすると良い。このように工具箱本体２３の後側壁２３ｄの上部側を第２の蓋として第１の蓋２４と一体に形成する場合、例えば、この第２の蓋の（寸法）は後側壁２３ｄの上下方向の長さ（寸法又は高さ）の１／２〜１／３程度の範囲に設定すると良い。
【００７３】
以上説明したように、この発明の実施の形態の長物用工具箱２２は、長辺における上面開口部の上方への開き代が一方の短辺側（後側壁２３ｄ側）では制限されず且つ他方の短辺側（前側壁２３ｅ側）では制限される長物収納用の工具箱本体２３と、前記工具箱本体２３の一方の短辺側に位置すると共に上方への開き代が制限されない範囲の長さを持ち且つ前記工具箱本体２３の一方の長辺側に第１のヒンジ２６を備えた第１の蓋２４と、前記工具箱本体２３の他方の短辺側に位置し且つ上方への開き代が制限されると共に前記他方の短辺に第２のヒンジ２７を備えた第２の蓋２５と、前記第１の蓋２４はその閉鎖位置では前記第２の蓋２５を閉鎖位置に維持し且つその開放位置では前記第２の蓋２５の開放を許容する蓋連繋手段（ワイヤロープ３２，連動機構３６，エアダンパ４２）とを有している。
【００７４】
この構成によれば、一方の短辺側上に扉の上方への開き代の制限をする構造物等があっても、長尺工具の出し入れを容易に行うことができる。
【００７５】
また、この発明の実施の形態の長物用工具箱２２は、長辺における上面開口部の上方への開き代が一方の短辺側（後側壁２３ｄ側）では制限されず且つ他方の短辺側（前側壁２３ｅ側）では制限される長物収納用の工具箱本体２３と、前記工具箱本体２３の一方の短辺側に位置すると共に上方への開き代が制限されない範囲の長さを持ち且つ前記工具箱本体２３の一方の長辺側に第１のヒンジ２６を備えた第１の蓋２４と、その閉じた状態では前記工具箱本体２３の一方の短辺の上縁部を含む側壁の一部であって下端に第２のヒンジ２７を備えた第２の蓋（後側壁２３ｄ）と、前記第１の蓋２４はその閉鎖位置では前記第２の蓋（後側壁２３ｄ）を閉鎖位置に維持し且つその開放位置では前記第２の蓋の開放を許容する蓋連繋手段（フランジ部２４ａ２）とを有する。
【００７６】
この構成によれば、一方の短辺側上に扉の上方への開き代の制限をする構造物等があっても、長尺工具の出し入れを容易に行うことができる。
【００７７】
更に、この発明の実施の形態の長物用工具箱２２は、前記第１の蓋２４による開口面積が前記第２の蓋２５による開口面積よりも大きくなっている。この構成によれば、第１の蓋２４による開口面積が第２の蓋２５による開口面積よりも大きくしたので、長尺工具を少し傾けるだけで、長尺工具の出し入れを容易に行うことができる。
【００７８】
また、この発明の実施の形態の長物用工具箱２２は、前記第１の蓋２４の開き動作により前記第２の蓋２５の開き動作をおこなうようになっている。このように、第１の蓋２４の開き動作により第２の蓋２５の開き動作をおこなうようにすることにより、長尺工具の出し入れに際して、長尺工具が蓋等により傷つくのを容易に防止できる。
【００７９】
また、この発明の実施の形態の長物用工具箱２２において、前記第２の蓋２５は連動機構（ワイヤロープ３２、連動機構３６、エアダンパ４２）により前記第１の蓋２４の開閉に連動して開閉するようになっている。このように第２の蓋２５は連動機構により第１の蓋の開閉に連動して開閉する構成とすることにより、この第２の蓋２５の開閉を第１の蓋２４の開閉操作のみで簡易に行うことができる。
【００８０】
また、上述した長物用工具箱２２を、前記長物用工具箱２２の長辺における上面開口部の上方への開き代が一方の短辺側では制限されず且つ他方の短辺側では制限される箇所に備える高所作業車とすることにより、この高所作業車は上述した長物用工具箱の作用・効果を備えることができる。                                                                                
【図面の簡単な説明】
【００８１】
【図１】この発明に係る長物用工具箱を備える高所作業車の左側面図である。
【図２】図１の高所作業車の平面図である。
【図３】図１の長物用工具箱の拡大平面図である。
【図４】図３のＡ１−Ａ１線に沿う断面図（エアダンパの図示は省略）である。
【図５】図３のＡ２−Ａ２線に沿う断面図である。
【図６】図３のＡ１−Ａ５線に沿う断面図である。
【図７】図３のＡ６−Ａ６線に沿う断面において第１，第２の蓋を開いたときの説明図である。
【図８】第１，第２の蓋を開いたときの説明図である。
【図９】この発明に係る長物用工具箱の変形例を示す平面図である。
【図１０】図９のＡ７−Ａ７線に沿う断面図（エアダンパの図示は省略）である。
【図１１】図９のＡ８−Ａ８線に沿う断面図（エアダンパの図示は省略）である。
【図１２】（ａ）は図１０の要部拡大図（図１１のＡ１０−Ａ１０線に沿う断面図）、（ｂ）は（ａ）のＡ９−Ａ９線に沿う断面図である。
【図１３】図１１の断面において第１，第２の蓋を開いたときの説明図である。
【図１４】この発明に係る長物用工具箱の他の変形例を示す断面図である。
【図１５】この発明に係る長物用工具箱の更に他の変形例を示す側面図である。
【図１６】図１５の右側面図である。
【符号の説明】
【００８２】
２２・・・長物用工具箱
２３・・・工具箱本体
２３ｄ・・・後側壁（第２の蓋）
２４・・・第１の蓋
２４ａ２・・・フランジ部（蓋連繋機構）
２５・・・第２の蓋
２６・・・第１のヒンジ
２７・・・第２のヒンジ
３２・・・ワイヤロープ（蓋連繋機構）
３６・・・連動機構（蓋連繋機構）
４２・・・エアダンパ４２（蓋連繋機構）
４４・・・第２のヒンジ
【図１】
0005199696.tif 000002
【図２】
0005199696.tif 000003
【図３】
0005199696.tif 000004
【図４】
0005199696.tif 000005
【図５】
0005199696.tif 000006
【図６】
0005199696.tif 000007
【図７】
0005199696.tif 000008
【図８】
0005199696.tif 000009
【図９】
0005199696.tif 000010
【図１０】
0005199696.tif 000011
【図１１】
0005199696.tif 000012
【図１２】
0005199696.tif 000013
【図１３】
0005199696.tif 000014
【図１４】
0005199696.tif 000015
【図１５】
0005199696.tif 000016
【図１６】
0005199696.tif 000017